(57)【要約】      （修正有）【課題】可動式のディスプレイの表示パネルの少なくとも一部を格納した場合であっても、より安定してユーザに対して経路案内を行うことを可能にする。【解決手段】表示装置８の表示パネル８ａの一部がインストルメントパネルに設けられた格納ケースに格納されたときにナビゲーション画面表示による経路案内が行われていた場合に、音声出力装置からの音声案内によって経路案内を行わせる。【選択図】図２
2010175523.tif 000002
【特許請求の範囲】
【請求項１】
表示パネルの少なくとも一部を格納することが可能な可動式のディスプレイを含むとともに、車両が出発地から目的地に到達できる移動経路を探索して前記可動式のディスプレイの前記表示パネルに画像表示させることによって当該移動経路の経路案内を行うことが可能な車載ナビゲーションシステムであって、
前記経路案内を音声出力によって行うことが可能な音声出力装置と、
前記可動式のディスプレイの前記表示パネルの少なくとも一部が格納されたときに、前記表示パネルに画像表示させることによって前記経路案内が行われていたか否かを判定する経路案内表示有無判定部と、
前記表示パネルに画像表示させることによって前記経路案内が行われていたと前記経路案内表示有無判定部で判定した場合に、前記音声出力装置からの音声出力によって当該経路案内を行わせる音声案内指示部と、含むことを特徴とする車載ナビゲーションシステム。
【請求項２】
音声出力による前記経路案内の実施の有無を指示するユーザからの操作入力を受け付ける第１操作入力部をさらに含み、
前記音声出力装置は、音声出力による前記経路案内を実施する旨の操作入力を前記第１操作入力部でユーザから受け付けた場合に、音声出力による前記経路案内を実施する一方、音声出力による前記経路案内を実施しない旨の操作入力を前記操作入力部でユーザから受け付けた場合に、音声出力による前記経路案内を実施しないものであって、
前記音声案内指示部は、前記表示パネルに画像表示させることによって前記経路案内が行われていたと前記経路案内表示有無判定部で判定した場合に、前記音声出力装置での音声出力による前記経路案内の実施の有無を判定し、前記音声出力装置での音声出力による前記経路案内が実施されていないと判定したときに、前記音声出力装置からの音声出力を開始して、前記音声出力装置からの音声出力によって当該経路案内を行わせることを特徴とする請求項１に記載の車載ナビゲーションシステム。
【請求項３】
前記音声出力装置からの音声出力の音量を設定するユーザからの操作入力を受け付ける第２操作入力部をさらに含み、
前記音声出力装置は、音声出力を行う場合に、前記第２操作入力部でユーザから受け付けた操作入力に従った音量で音声出力を行うものであって、
前記音声案内指示部は、前記表示パネルに画像表示させることによって前記経路案内が行われていたと前記経路案内表示有無判定部で判定した場合に、前記音声出力装置からの音声出力の音量が所定のレベルよりも小さいか否かを判定し、前記音声出力装置からの音声出力が所定のレベルよりも小さいと判定したときに、前記音声出力装置からの音声出力の音量を前記所定のレベル以上の音量に上げて、前記音声出力装置からの音声出力によって当該経路案内を行わせることを特徴とする請求項１または２に記載の車載ナビゲーションシステム。
【請求項４】
前記可動式のディスプレイは、車両の内装パネルに設けられた凹部に前記表示パネルの少なくとも一部を格納することが可能であることを特徴とする請求項１〜３のいずれか１項に記載の車載ナビゲーションシステム。
【請求項５】
前記可動式のディスプレイは、車両の内装パネルの内側に前記表示パネルの少なくとも一部を格納することが可能であることを特徴とする請求項１〜３のいずれか１項に記載の車載ナビゲーションシステム。
【請求項６】
前記可動式のディスプレイは、車両の内装パネルのうちのインストルメントパネルの内側に前記表示パネルの少なくとも一部を格納することが可能であることを特徴とする請求項５に記載の車載ナビゲーションシステム。
【発明の詳細な説明】
【技術分野】
【０００１】
本発明は、表示パネルの少なくとも一部を格納することが可能な可動式のディスプレイを備えた車載ナビゲーションシステムに関するものである。
【背景技術】
【０００２】
従来から、表示パネルの少なくとも一部を格納することが可能な可動式のディスプレイが知られている。例えば、特許文献１には、車両のインストルメントパネルの内側に表示パネルの一部を格納することが可能な上下可動式のディスプレイが開示されている。
【先行技術文献】
【特許文献】
【０００３】
【特許文献１】米国特許出願公開２００３／０１２８１０３号明細書
【発明の概要】
【発明が解決しようとする課題】
【０００４】
しかしながら、特許文献１に開示の技術を車載ナビゲーションシステムのディスプレイに適用しようとした場合には、可動式のディスプレイの表示パネルの一部を例えばインストルメントパネルの内側に格納したときに、表示パネル中の表示エリアが狭くなってしまうため、経路案内を行うための地図をユーザが確認できなくなり、ユーザが経路案内を受けられなくなってしまうという問題点が生じる。
【０００５】
本発明は、上記従来の問題点に鑑みなされたものであって、その目的は、可動式のディスプレイの表示パネルの少なくとも一部を格納した場合であっても、より安定してユーザに対して経路案内を行うことを可能にする車載ナビゲーションシステムを提供することにある。
【課題を解決するための手段】
【０００６】
請求項１の車載ナビゲーションシステムは、上記課題を解決するために、表示パネルの少なくとも一部を格納することが可能な可動式のディスプレイを含むとともに、車両が出発地から目的地に到達できる移動経路を探索して前記可動式のディスプレイの前記表示パネルに画像表示させることによって当該移動経路の経路案内を行うことが可能な車載ナビゲーションシステムであって、前記経路案内を音声出力によって行うことが可能な音声出力装置と、前記可動式のディスプレイの前記表示パネルの少なくとも一部が格納されたときに、前記表示パネルに画像表示させることによって前記経路案内が行われていたか否かを判定する経路案内表示有無判定部と、前記表示パネルに画像表示させることによって前記経路案内が行われていたと前記経路案内表示有無判定部で判定した場合に、前記音声出力装置からの音声出力によって当該経路案内を行わせる音声案内指示部と、含むことを特徴としている。
【０００７】
これによれば、表示パネルに画像表示させることによって経路案内が行われていたときに表示パネルの少なくとも一部が格納されて画像表示による経路案内をユーザが十分に受けられなくなった場合であっても、音声出力によって当該経路案内を行わせることが可能になるので、可動式のディスプレイの表示パネルの少なくとも一部を格納した場合であっても、より安定してユーザに対して経路案内を行うことが可能になる。
【０００８】
また、請求項２の車載ナビゲーションシステムでは、音声出力による前記経路案内の実施の有無を指示するユーザからの操作入力を受け付ける第１操作入力部をさらに含み、前記音声出力装置は、音声出力による前記経路案内を実施する旨の操作入力を前記第１操作入力部でユーザから受け付けた場合に、音声出力による前記経路案内を実施する一方、音声出力による前記経路案内を実施しない旨の操作入力を前記操作入力部でユーザから受け付けた場合に、音声出力による前記経路案内を実施しないものであって、前記音声案内指示部は、前記表示パネルに画像表示させることによって前記経路案内が行われていたと前記経路案内表示有無判定部で判定した場合に、前記音声出力装置での音声出力による前記経路案内の実施の有無を判定し、前記音声出力装置での音声出力による前記経路案内が実施されていないと判定したときに、前記音声出力装置からの音声出力を開始して、前記音声出力装置からの音声出力によって当該経路案内を行わせることを特徴としている。
【０００９】
さらに、請求項３の車載ナビゲーションシステムでは、前記音声出力装置からの音声出力の音量を設定するユーザからの操作入力を受け付ける第２操作入力部をさらに含み、前記音声出力装置は、音声出力を行う場合に、前記第２操作入力部でユーザから受け付けた操作入力に従った音量で音声出力を行うものであって、前記音声案内指示部は、前記表示パネルに画像表示させることによって前記経路案内が行われていたと前記経路案内表示有無判定部で判定した場合に、前記音声出力装置からの音声出力の音量が所定のレベルよりも小さいか否かを判定し、前記音声出力装置からの音声出力が所定のレベルよりも小さいと判定したときに、前記音声出力装置からの音声出力の音量を前記所定のレベル以上の音量に上げて、前記音声出力装置からの音声出力によって当該経路案内を行わせることを特徴としている。
【００１０】
車載ナビゲーションシステムが、経路案内を音声出力によっても行うことができる機能を有する車載ナビゲーションシステムであったとした場合であっても、ユーザが音声出力による経路案内の機能をオフにしていたり、音声出力の音量がミュートやユーザが運転中に聞き取りにくい程度に小さいレベルに設定されていたりしたときには、可動式のディスプレイの表示パネルの一部を格納した場合にユーザが経路案内を受けられなくなってしまうという問題点が生じる。
【００１１】
これに対して、請求項２の構成によれば、可動式のディスプレイの表示パネルの少なくとも一部が格納されたときであって、音声出力装置での音声出力による前記経路案内が実施されていない（つまり、音声出力による経路案内の機能がオフされている）と判定したときに、音声出力装置からの音声出力を開始して経路案内を行わせるので、可動式のディスプレイの表示パネルの少なくとも一部が格納されたときであっても、音声出力による経路案内をユーザが受けることが可能になる。従って、請求項２の構成によれば、可動式のディスプレイの表示パネルの少なくとも一部が格納されたときにユーザが音声出力による経路案内の機能をオフにしていた場合であっても、より安定してユーザに対して経路案内を行うことが可能になる。
【００１２】
また、請求項３の構成によれば、可動式のディスプレイの表示パネルの少なくとも一部が格納されたときであって、音声出力装置からの音声出力の音量が所定のレベルよりも小さい（つまり、例えば音声出力の音量がミュートやユーザが運転中に聞き取りにくい程度に小さいレベルに設定されている）と判定したときに、音声出力装置からの音声出力の音量を当該所定のレベル以上の音量に上げて経路案内を行わせるので、可動式のディスプレイの表示パネルの少なくとも一部が格納されたときであっても、よりユーザが聞き取り易い音量で音声出力による経路案内をユーザが受けることが可能になる。従って、請求項３の構成によれば、ユーザが音声出力の音量のレベルをミュートやユーザが聞き取りにくい程度に小さいレベルに設定していた場合であっても、より安定してユーザに対して経路案内を行うことが可能になる。
【００１３】
また、請求項４の車載ナビゲーションシステムでは、前記可動式のディスプレイは、車両の内装パネルに設けられた凹部に前記表示パネルの少なくとも一部を格納することが可能であることを特徴としている。
【００１４】
この請求項４のように、車両の内装パネルに設けられた凹部に可動式のディスプレイの表示パネルの少なくとも一部を格納することが可能である態様としてもよい。
【００１５】
また、請求項５の車載ナビゲーションシステムでは、前記可動式のディスプレイは、車両の内装パネルの内側に前記表示パネルの少なくとも一部を格納することが可能であることを特徴としている。
【００１６】
この請求項５のように、車両の内装パネルの内側に可動式のディスプレイの表示パネルの少なくとも一部を格納することが可能である態様としてもよい。
【００１７】
また、請求項６の車載ナビゲーションシステムでは、前記可動式のディスプレイは、車両の内装パネルのうちのインストルメントパネルの内側に、前記表示パネルの少なくとも一部を格納することが可能であることを特徴としている。
【００１８】
この請求項６のように、車両の内装パネルのうちのインストルメントパネルの内側に、可動式のディスプレイの表示パネルの少なくとも一部を格納することが可能である態様としてもよい。
【図面の簡単な説明】
【００１９】
【図１】ナビゲーションシステム１００の概略的な構成を示すブロック図である。
【図２】（ａ）は、表示装置８の表示パネル８ａ上にナビゲーション画面表示をフル画面表示によって行っている状態の一例を示す図であって、（ｂ）は、表示装置８の表示パネル８ａ上にオーディオ画面表示をコンパクト画面表示によって行っている状態の一例を示す図である。
【図３】制御装置１での経路案内継続処理のフローの一例を示すフローチャートである。
【図４】制御装置１での経路案内継続処理のフローの他の一例を示すフローチャートである。
【発明を実施するための形態】
【００２０】
以下、本発明の実施形態について図面を用いて説明する。図１は、本発明が適用されたナビゲーションシステム１００の概略的な構成を示すブロック図である。図１に示すナビゲーションシステム１００は、車両に搭載されるものであり、位置検出器２、地図データ入力器３、操作スイッチ群４、リモコンセンサ５、リモートコントロール端末（以下リモコンと称する）６、キーポジション検出部７、表示装置８、表示装置駆動装置９、音声出力装置１０、外部メモリ１１、オーディオ機器１２、およびこれらと接続された制御装置１を備えている。
【００２１】
位置検出器２は、人工衛星からの電波に基づいて車両の現在位置を検出するＧＰＳのためのＧＰＳ受信機２ａ、車両の鉛直方向周りの角速度を検出するジャイロスコープ２ｂ、各転動輪の回転速度から速度を検出する車速センサ２ｃ、および地磁気を検出する地磁気センサ２ｄを有しており、車両の現在位置および進行方向の検出を行う。これらの各センサ２ａ〜２ｄは、各々が性質の異なる誤差を持っているため、複数のセンサにより各々補完しながら使用するように構成されている。なお、各センサの精度によっては位置検出器２を上述した内の一部で構成してもよいし、さらに、図示しないステアリングの回転センサ、車両の移動距離を検出する距離センサ等を用いる構成としてもよい。
【００２２】
地図データ入力器３は、記憶媒体（図示せず）が装着され、その記憶媒体に格納されている位置検出の精度向上のための所謂マップマッチング用データ、地図データ、および目印データを含む各種データを入力するための装置である。地図データには、道路を示すリンクデータとノードデータとが含まれる。なお、リンクとは、地図上の各道路を交差・分岐・合流する点等の複数のノードにて分割したときのノード間を結ぶものであり、各リンクを接続することにより道路が構成される。リンクデータは、リンクを特定する固有番号（リンクＩＤ）、リンクの長さを示すリンク長、リンクの始端及び終端ノード座標（緯度・経度）、道路名称、道路種別、道路幅員、車線数、右折・左折専用車線の有無とその専用車線の数、および制限速度等の各データから構成される。
【００２３】
一方、ノードデータは、地図上の各道路が交差、合流、分岐するノード毎に固有の番号を付したノードＩＤ、ノード座標、ノード名称、ノードに接続するリンクのリンクＩＤが記述される接続リンクＩＤ、および交差点種類等の各データから構成される。
【００２４】
また、上記記憶媒体には、各種施設の種類、名称、住所のデータなども記憶されており、それらのデータは経路探索の際の目的地設定などに用いられる。なお、上記記憶媒体としては、ＣＤ−ＲＯＭまたはＤＶＤ−ＲＯＭ、メモリカード、ＨＤＤ等が用いられる。
【００２５】
操作スイッチ群４は、例えば表示装置８と一体になったタッチスイッチもしくはメカニカルなスイッチ等が用いられ、スイッチ操作により制御装置１へ各種機能（例えば、地図縮尺変更、メニュー表示選択、目的地設定、経路探索、経路案内開始、現在位置修正、表示画面変更、音声案内設定、音量調整、オーディオソース選択、ラジオ局選択、選曲、演奏開始、演奏中断、演奏順序設定、音質調整、ナビゲーション画面／オーディオ画面切り替え、ディスプレイ格納、ディスプレイ排出等）の操作指示を行う。また、操作スイッチ群４は、出発地および目的地を設定するためのスイッチを含んでいる。そのスイッチを操作することによって、ユーザ（つまり、車両の乗員）は、予め登録しておいた地点、施設名、電話番号、住所などから、出発地および目的地を設定することができる。
【００２６】
リモコン６には複数の操作スイッチ（図示せず）が設けられ、スイッチ操作によりリモコンセンサ５を介して各種指令信号を制御装置１に入力することにより、操作スイッチ群４と同じ機能を制御装置１に対して実行させることが可能である。
【００２７】
キーポジション検出部７は、イグニッションキーのキーポジションが、「ＩＧ−ＯＮ（車載エンジンの動作開始）」、「ＡＣＣ（アクセサリ）」および「ＩＧ−ＯＦＦ（車載エンジンの動作停止）」のいずれに位置しているかを検出する。
【００２８】
表示装置８は、車両の走行を案内するための地図および目的地選択画面等を表示するナビゲーション画面表示、および選局中のラジオ局や音楽記録媒体（例えば、音楽ＣＤ、ＭＤ、メモリースティック、ＳＤカード等）に記録されている楽曲の曲名、演奏時間、曲目のリスト等を表示するオーディオ画面表示を行うものであって、フルカラー表示が可能なものであり、液晶ディスプレイ、有機ＥＬディスプレイ、プラズマディスプレイ等を用いて構成することができる。
【００２９】
また、表示装置８は、スライド機構によって、車両のインストルメントパネルに設けられた凹部である格納ケースに表示装置８の表示パネル８ａ（図２（ａ）および図２（ｂ）参照）の一部を格納（以下、ディスプレイ格納）したり、この格納ケースに格納した表示パネル８ａを排出（以下、ディスプレイ排出）したりすることが可能な可動式のディスプレイである。
【００３０】
なお、本実施形態では、スライド機構によって、車両のインストルメントパネルに設けられた格納ケースに表示装置８の表示パネル８ａの一部を格納したり、この格納ケースに格納した表示パネル８ａを排出したりすることが可能な構成を示したが、必ずしもこれに限らない。例えばインストルメントパネル以外の内装パネルに設けられた格納ケースに、表示装置８の表示パネル８ａの一部を格納したり、この格納ケースに格納した表示パネル８ａを排出したりすることが可能な構成であってもよい。さらに、例えばインストルメントパネル等の内装パネルの内側に、表示装置８の表示パネル８ａの一部を格納したり、この内側に格納した表示パネル８ａを排出したりすることが可能な構成であってもよい。要は、表示装置８の表示パネル８ａの少なくとも一部をユーザから視認できないように格納することができる構成であればよい。
【００３１】
また、例えばスライド機構以外の機構によって表示装置８の表示パネル８ａの一部を格納したり、排出したりする構成としてもよい。要は、表示装置８の表示パネル８ａの少なくとも一部をユーザから視認できないように格納することができる機構であればよい。
【００３２】
表示装置駆動装置９は、制御装置１からの指示に従って表示装置８を駆動させて、表示装置８の表示パネル８ａの一部を格納ケースに格納したり、この格納ケースに格納した表示パネル８ａを排出したりする。なお、表示装置駆動装置９は、モータなどを動力源として表示装置８を駆動させる構成とすればよい。
【００３３】
音声出力装置１０は、スピーカ等から構成され、制御装置１の指示に基づいて、経路案内時の音声などを出力する。
【００３４】
外部メモリ１１は、書き込み可能なＨＤＤ等の大容量記憶装置である。外部メモリ１１には大量のデータや電源をＯＦＦしても消去してはいけないデータを記憶したり、頻繁に使用するデータを地図データ入力器３からコピーして利用したりする等の用途がある。なお、外部メモリ１１は、比較的記憶容量の小さいリムーバブルなメモリであってもよい。
【００３５】
オーディオ機器１２は、音楽記録媒体に記憶されている楽曲データを再生するデッキやラジオ放送を受信するラジオチューナー等を備えている。また、オーディオ機器１２は、制御装置１を介してナビゲーションシステム１００の音声出力装置１０にオーディオ音声信号を出力することによってオーディオ音声を出力させる所謂ナビ一体型のオーディオである。
【００３６】
制御装置１は通常のコンピュータとして構成されており、内部には周知のＣＰＵ、ＲＯＭやＲＡＭなどのメモリ、Ｉ／Ｏ、およびこれらの構成を接続するバスライン（いずれも図示せず）が備えられている。制御装置１は、位置検出器２、地図データ入力器３、操作スイッチ群４、リモコンセンサ５、外部メモリ１１から入力された各種情報に基づき、ナビゲーション機能としての処理（例えば、地図縮尺変更処理、メニュー表示選択処理、目的地設定処理、経路探索実行処理、経路案内開始処理、現在位置修正処理、表示画面変更処理、音声案内設定処理、音量調整処理等）を実行する。例えば、経路探索実行処理においては、制御装置１は、操作スイッチ群４、リモコン６から出発地および目的地が入力されると、距離優先、時間優先等の予め設定された条件を満たす複数の移動経路を、公知のダイクストラ法を用いて探索する。そして、経路案内開始処理では、経路探索実行処理において探索した移動経路を電子地図上に示して表示装置８で画像表示し、ユーザへの経路案内を行う。また、音声案内設定処理では、経路案内を音声出力によっても実施するか否かを設定する操作入力を、操作スイッチ群４やリモコン６によってユーザから受け付けた場合に、この操作入力に従った設定を行う。つまり、経路案内を音声出力によっても実施する旨の操作入力を受け付けた場合には、経路案内時に音声出力装置１０からの音声出力による経路案内（以下、音声案内）も行うよう設定し、経路案内を音声出力によって実施しない旨の操作入力を受け付けた場合には、経路案内時に音声案内は行わないよう設定する。よって、操作スイッチ群４およびリモコン６は、請求項の第１操作入力部として機能する。
【００３７】
また、制御装置１は、操作スイッチ群４、リモコンセンサ５、オーディオ機器１２から入力された各種情報に基づき、オーディオ機能としての処理（例えば、オーディオソース選択処理、ラジオ局選択処理、選曲処理、演奏開始処理、演奏中断処理、演奏順序設定処理、音量調整処理、音質調整処理等）を実行する。例えば、オーディオソース選択処理においては、ＡＭラジオ、ＦＭラジオ、ＣＤ、ＭＤ、メモリースティック等のオーディオソースのうちのいずれかを選択する操作入力を操作スイッチ群４やリモコン６でユーザから受け付けた場合に、この操作入力に従ったオーディオソースからのオーディオ音声信号を音声出力装置１０から出力させるようにする。
【００３８】
なお、本実施形態では、オーディオソース選択処理において選択されるオーディオソースとして、ＡＭラジオ、ＦＭラジオ、ＣＤ、ＭＤ、メモリースティックを一例として挙げたが、必ずしもこれに限らない。例えば、オーディオソース選択処理において選択されるオーディオソースは、これらのうちの一部であってもよいし、他のオーディオソースを含んでいてもよい。
【００３９】
さらに、制御装置１は、操作スイッチ群４、リモコンセンサ５から入力された各種情報に基づき、前述のナビゲーション画面表示と前述のオーディオ画面表示とを切り替える処理（以下、ナビゲーション画面／オーディオ画面切り替え処理）を実行する。ナビゲーション画面／オーディオ画面切り替え処理においては、ナビゲーション機能とオーディオ機能とのうちのナビゲーション機能を選択する操作入力を操作スイッチ群４やリモコン６によってユーザから受け付けた場合に、ナビゲーション画面表示を表示装置８で行わせ、ナビゲーション機能とオーディオ機能とのうちのオーディオ機能を選択する操作入力を操作スイッチ群４やリモコン６でユーザから受け付けた場合に、オーディオ画面表示を表示装置８で行わせる。
【００４０】
また、制御装置１は、操作スイッチ群４、リモコンセンサ５から入力された各種情報に基づき、表示装置８を駆動させて、表示装置８の表示パネル８ａの一部を格納ケースに格納させるディスプレイ格納処理やこの格納ケースに格納した表示パネル８ａを排出させるディスプレイ排出処理を実行する。例えば、ディスプレイ格納処理においては、表示装置８の表示パネル８ａの一部を格納ケースに格納することを指示する操作入力を操作スイッチ群４やリモコン６によってユーザから受け付けた場合に、表示装置８の表示パネル８ａの一部を格納ケースに格納させる指示を表示装置駆動装置９に行い、表示装置８の表示パネル８ａの一部を格納ケースに格納させる。また、ディスプレイ排出処理においては、格納ケースに格納されている表示装置８の表示パネル８ａの一部をこの格納ケースから排出することを指示する操作入力を操作スイッチ群４やリモコン６によってユーザから受け付けた場合に、表示装置８の表示パネル８ａの一部を格納ケースから排出させる指示を表示装置駆動装置９に行い、表示装置８の表示パネル８ａの一部を格納ケースから排出させる。
【００４１】
さらに、制御装置１は、表示装置８の表示パネル８ａの一部を格納ケースに格納させていない（つまり、格納ケースから排出されている）場合には、図２（ａ）に示すように、ナビゲーション画面表示やオーディオ画面表示を表示パネル８ａの全面に行わせるフル画面表示を行う。例えば、フル画面表示における画面サイズは、表示パネル８ａの全面の大きさとなる。なお、図２（ａ）に示した具体例は、表示装置８の表示パネル８ａ上にナビゲーション画面表示をフル画面表示によって行っている状態の一例を示している。
【００４２】
また、制御装置１は、表示装置８の表示パネル８ａの一部を格納ケースに格納させるときに、ナビゲーション画面表示を行っていた場合にはフル画面表示を維持する一方、オーディオ画面表示を行っていた場合には、図２（ｂ）に示すように、提示する情報を省略化するとともに表示パネル８ａ上の領域のうち格納ケースに格納されていない領域に納まる大きさに切り替えたオーディオ画面表示を行わせるコンパクト画面表示を行う。例えば、コンパクト画面表示における画面サイズは、表示パネル８ａ上の領域のうち格納ケースに格納されていない領域の全面の大きさとなる。なお、図２（ｂ）に示した具体例は、表示装置８の表示パネル８ａ上にオーディオ画面表示をコンパクト画面表示によって行っている状態の一例を示している。
【００４３】
さらに、制御装置１は、操作スイッチ群４、リモコンセンサ５から入力された各種情報に基づき、オーディオ機器１２からのオーディオ音声信号の音量を制御する音量調整処理や音質を制御する音質調整処理などを実行する。例えば、音量調整処理においては、音声出力装置１０から出力するオーディオ音声の音量を設定する操作入力を操作スイッチ群４やリモコン６によってユーザから受け付けた場合に、この操作入力に従った音量で音声出力装置１０から音声出力が行われるように設定を行う。なお、音量の設定には、音量「０」のミュートの設定も当然含む。よって、操作スイッチ群４およびリモコン６は、請求項の第２操作入力部としても機能する。
【００４４】
また、制御装置１は、ナビゲーション画面表示によって経路案内を行っているときにディスプレイ格納処理が行われた場合に、音声案内によってこの経路案内を続ける経路案内継続処理を実行する。
【００４５】
次に、図３を用いて、制御装置１での経路案内継続処理の概略についての説明を行う。図３は、制御装置１での経路案内継続処理のフローの一例を示すフローチャートである。なお、本フローは、キーポジション検出部７でイグニッションキーのキーポジションが、「ＩＧ−ＯＮ」に位置していることを検出したとき、つまり、車両のイグニッションスイッチがオンされたときに開始される。
【００４６】
まず、ステップＳ１では、ナビゲーションシステム１００に電源が供給されている（つまり、電源オンされている）場合（ステップＳ１でＹｅｓ）には、ステップＳ３に移る。また、ナビゲーションシステム１００に電源が供給されていない場合（ステップＳ１でＮｏ）には、ステップＳ２に移る。ステップＳ２では、表示装置８の表示パネル８ａ上に画面表示を行わずにステップＳ１０に移る。
【００４７】
ステップＳ３では、ディスプレイ格納処理が行われて表示装置８の表示パネル８ａの一部が格納ケースに格納されているか否かを判定する。表示装置８の表示パネル８ａの一部が格納ケースに格納されていることは、例えばディスプレイ格納処理が行われたがディスプレイ排出処理が行われていないことをもとに判定することが可能である。そして、表示パネル８ａの一部が格納ケースに格納されていると判定した場合（ステップＳ３でＹｅｓ）には、ステップＳ５に移る。また、表示パネル８ａの一部が格納ケースに格納されていると判定しなかった場合（ステップＳ３でＮｏ）には、ステップＳ４に移る。
【００４８】
ステップＳ４では、ナビゲーション画面表示とオーディオ画面表示とのうち、ナビゲーション画面／オーディオ画面切り替え処理において選択されている方の画面表示をフル画面表示によって行い、ステップＳ１０に移る。
【００４９】
ステップＳ５では、ナビゲーション画面表示によって経路案内が行われている（以下、ナビ経路案内中と呼ぶ）か否かを判定する。よって、制御装置１は、請求項の経路案内表示有無判定部として機能する。そして、ナビ経路案内中と判定した場合（ステップＳ５でＹｅｓ）には、ステップＳ７に移る。また、ナビ経路案内中と判定しなかった場合（ステップＳ５でＮｏ）には、ステップＳ６に移る。ステップＳ６では、オーディオ画面表示をコンパクト画面表示によって行ってステップＳ１０に移る。
【００５０】
ステップＳ７では、音声案内設定処理において音声案内を行わない設定（以下、音声案内オフ設定と呼ぶ）がなされているか否かを判定する。そして、音声案内オフ設定が行われていると判定した場合（ステップＳ７でＹｅｓ）には、ステップＳ９に移る。また、音声案内オフ設定が行われていると判定しなかった場合（ステップＳ７でＮｏ）には、ステップＳ８に移る。
【００５１】
ステップＳ８では、音声案内を継続してステップＳ１０に移る。また、ステップＳ９では、強制的に音声案内を開始してステップＳ８に移る。よって、制御装置１は、請求項の音声案内指示部としても機能する。
【００５２】
ステップＳ１０では、自車両のイグニッションスイッチがオフになったか否かを判定する。例えば、キーポジション検出部７でイグニッションキーのキーポジションが、「ＩＧ−ＯＦＦ」に位置していることを検出したことをもって、自車両のイグニッションスイッチがオフになったことを判定する構成とすればよい。そして、自車両のイグニッションスイッチがオフになったと判定した場合（ステップＳ１０でＹｅｓ）には、フローを終了する。また、自車両のイグニッションスイッチがオフになったと判定しなかった場合（ステップＳ１０でＮｏ）には、ステップＳ１に戻ってフローを繰り返す。
【００５３】
以上の構成によれば、ナビ経路案内中に表示パネル８ａの少なくとも一部が格納されてナビゲーション画面表示による経路案内をユーザが十分に受けられなくなった場合であっても、音声案内によって当該経路案内を行わせることが可能になるので、表示装置８の表示パネル８ａの一部を格納ケースに格納した場合であっても、より安定してユーザに対して経路案内を行うことが可能になる。また、表示パネル８ａの一部が格納ケースに格納されたときであって、音声出力装置１０での音声案内が実施されていない（つまり、音声案内の機能がオフされている）と判定したときに、強制的に音声案内を開始して経路案内を行わせるので、表示パネル８ａの一部が格納ケースに格納されたときにユーザが音声案内の機能をオフにしていた場合であっても、より安定してユーザに対して経路案内を行うことが可能になる。
【００５４】
以上、本発明の実施形態を説明したが、本発明は前述の実施形態に限定されるものではなく、次の実施形態も本発明の技術的範囲に含まれる。以下では、この次の実施形態について図面を用いて説明を行う。図４は、制御装置１での経路案内継続処理のフローの他の一例を示すフローチャートである。なお、本フローは、キーポジション検出部７でイグニッションキーのキーポジションが、「ＩＧ−ＯＮ」に位置していることを検出したとき、つまり、車両のイグニッションスイッチがオンされたときに開始される。また、本フローでは、ナビゲーション画面表示によって経路案内を行う場合に、同時に音声案内によっても経路案内を行う場合を例に挙げて説明を行う。
【００５５】
まず、ステップＳ１１〜ステップＳ１６までの処理は、前述のステップＳ１〜ステップＳ６までの処理と同様にして行う。続いて、ステップＳ１７では、音量調整処理において設定されている音量のレベルが所定のレベルよりも小さいか否かを判定する。なお、ここで言うところの所定のレベルとは、任意に設定可能であって、例えば、一般的なユーザが運転中に音声を聞き取りにくい程度の音量のレベルを設定する。そして、音量調整処理において設定されている音量のレベルが所定のレベルよりも小さいと判定した場合（ステップＳ１７でＹｅｓ）には、ステップＳ１９に移る。また、音量調整処理において設定されている音量のレベルが所定のレベルよりも小さいと判定しなかった場合（ステップＳ１７でＮｏ）には、ステップＳ１８に移る。なお、ステップＳ１８の処理は、ステップＳ８の処理と同様にして行う。
【００５６】
ステップＳ１９では、音声出力装置１０からの音声出力の音量を強制的に上述の所定のレベル以上の音量に設定し直し、音声案内による経路案内を行わせ、ステップＳ１８に移る。なお、上述の所定のレベル以上の音量とは、任意に設定可能であって、例えば、一般的なユーザが運転中に音声を聞き取り易い程度の音量のレベルを設定する。そして、ステップＳ２０の処理は、ステップＳ１０の処理と同様にして行う。
【００５７】
以上の構成によれば、ナビ経路案内中に表示パネル８ａの少なくとも一部が格納されてナビゲーション画面表示による経路案内をユーザが十分に受けられなくなった場合であっても、音声案内によって当該経路案内を行わせることが可能になるので、表示装置８の表示パネル８ａの一部を格納ケースに格納した場合であっても、より安定してユーザに対して経路案内を行うことが可能になる。また、表示パネル８ａの一部が格納ケースに格納されたときであって、音声案内の音量がミュートやユーザが運転中に聞き取りにくい程度に小さいレベルの音量に設定されていたときに、強制的に音声案内の音量のレベルをユーザが運転中に聞き取り易い程度のレベルに上げて音声案内による経路案内を行わせるので、表示パネル８ａの一部が格納ケースに格納されたときにユーザが音声出力の音量のレベルをミュートやユーザが聞き取りにくい程度に小さいレベルに設定していた場合であっても、より安定してユーザに対して経路案内を行うことが可能になる。
【００５８】
なお、図４のフローでは、ナビゲーション画面表示によって経路案内を行う場合に、同時に音声案内によっても経路案内を行う場合を例に挙げたが、必ずしもこれに限らない。例えば、音声案内オフ設定を行うことが可能な場合には、ステップＳ１７の処理を行う前に、音声案内オフ設定がなされているか否かを判定する構成としてもよい。そして、音声案内オフ設定が行われていると判定した場合には、強制的に音声案内を開始し、ステップＳ１７に移ってフローを進め、音声案内オフ設定が行われていると判定しなかった場合には、ステップＳ１７に移ってフローを進めるものとすればよい。
【００５９】
また、前述の実施形態では、表示装置８の表示パネル８ａの一部を格納ケースに格納させるときにナビゲーション画面表示を行っていた場合にはフル画面表示を維持する構成を示したが、必ずしもこれに限らない。例えば、提示する情報を省略化するとともに表示パネル８ａ上の領域のうち格納ケースに格納されていない領域に納まる大きさに画面サイズを切り替えたナビゲーション画面表示を行わせるコンパクト画面表示を行う構成としてもよい。また、画面表示を中止する構成としてもよい。
【００６０】
なお、前述の実施形態では、オーディオ機器１２が、音楽記録媒体に記憶されている楽曲データを再生するデッキとラジオ放送を受信するラジオチューナーを備えている一例を挙げたが、必ずしもこれに限らない。例えば、オーディオ機器１２が、映像記録媒体に記憶されている映像データや音声データを再生するデッキやＴＶ放送を受信するＴＶチューナーを備えている構成としてもよい。
【００６１】
また、前述の実施形態では、オーディオ機器１２をナビゲーションシステム１００に含む構成を示したが、必ずしもこれに限らず、例えば、オーディオ機器１２をナビゲーションシステム１００に含まない構成としてもよい。
【００６２】
さらに、前述の実施形態では、表示装置８の表示パネル８ａの一部を格納することが可能な構成を示したが、必ずしもこれに限らず、表示装置８の表示パネル８ａのすべてを格納することが可能な構成としてもよい。この場合であっても、表示装置８の表示パネル８ａのすべてを格納したときに、音声案内によって経路案内を行わせることができるので、より安定してユーザに対して経路案内を行うことが可能になる。
【００６３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６４】
１  制御装置（経路案内表示有無判定部、音声案内指示部）、２  位置検出器、２ａ  ＧＰＳ受信機、２ｂ  ジャイロスコープ、２ｃ  車速センサ、２ｄ  地磁気センサ、３  地図データ入力器、４  操作スイッチ群（第１操作入力部、第２操作入力部）、５  リモコンセンサ、６  リモコン（第１操作入力部、第２操作入力部）、７  キーポジション検出部、８  表示装置（可動式のディスプレイ）、８ａ  表示パネル、９  表示装置駆動装置、１０  音声出力装置、１１  外部メモリ、１２  オーディオ機器、１００  ナビゲーションシステム（車載ナビゲーションシステム）
【図１】
2010175523.tif 000003
【図２】
2010175523.tif 000004
【図３】
2010175523.tif 000005
【図４】
2010175523.tif 000006